(57)【要約】【課題】液体加熱機器が無電源状態であっても、空焚き防止及び過昇防止の２つの安全機能を備えたガス式加熱機器を提供する。【解決手段】無電源状態になってもサーモカップルの起電流を利用してフロートスイッチを動作させ、液槽内の水量不足及びスロッシング現象を検知してガス供給のための電磁弁に対しスイッチＯＦＦ信号することができるため、空焚きを防止及びスロッシング対策が可能である。更に、バイメタルサーモ又は液膨式ハイカットサーモを併せて使用する安全装置であるため、槽内の温度が所定の閾値温度を超えて異常に昇温したときは、これ以上の温度上昇がされないようにガス電磁弁を閉じてガス通路を遮断する。二段構え又は並列による二重の機構であるため安全性を向上させることができる。【選択図】図１
2016142473.tif 000002
【特許請求の範囲】
【請求項１】
安全装置を備えたガス式加熱装置であって、前記安全装置は、
ガスバーナーの炎の立消えを感知するサーモカップルと、
前記サーモカップルと電気的に直列に接合し、液槽内の液体量が所定のレベルを超えているか及び液面が異常振動しているかを検知するフロートスイッチと、
前記フロートスイッチと電気的に直列に接合し、前記液槽内の液体が所定の閾値温度を超えた異常昇温状態であるかを検知するバイメタルサーモと、
を備え、
前記加熱装置の燃焼中、電力が供給されない無電源状態になった場合でも、前記サーモカップルの起電力が前記フロートスイッチ及び前記バイメタルサーモへ供給され、
前記フロートスイッチは、液槽内の液体量が所定のレベル以下である又は液槽内の液面が異常振動しているかの少なくとも１つがあれば、空焚き防止をするために前記ガスバーナーの栓を閉じる制御信号を出力し、
前記ガスバーナーの栓を閉じる制御信号が出力されない状態において、前記バイメタルサーモによって前記液槽内の液体が所定の閾値温度を超えていることを検知したとき、前記バイメタルサーモが前記液体の異常昇温を防止するために前記ガスバーナーの栓を閉じる制御信号を出力し、
前記ガスバーナーが一旦閉栓されると、前記ガスバーナーの再点火のための自動復帰は行われないことを特徴とするガス式加熱装置。
【請求項２】
安全装置を備えたガス式加熱装置であって、前記安全装置は、
ガスバーナーの炎の立消えを感知するサーモカップルと、
前記サーモカップルと電気的に直列に接合し、液槽内の液体量が所定のレベルを超えているか及び液面が異常振動しているかを検知するフロートスイッチと、
前記サーモカップル及び前記フロートスイッチとは電気的に独立して構成され、電磁弁ユニットと直結し、無電源で前記液槽内の液体が所定の閾値温度を超えた異常昇温状態であるかを検知する液膨式ハイカットサーモと、
を備え、
前記加熱装置の燃焼中、電力が供給されない無電源状態になった場合、前記サーモカップルの起電力が前記フロートスイッチへ供給され、
前記フロートスイッチは、液槽内の液体量が所定のレベル以下である又は液槽内の液面が異常振動しているかの少なくとも１つがあれば、空焚き防止をするために前記ガスバーナーの栓を閉じる制御信号を出力し、
無電源で可動し、前記フロートスイッチと電気的に独立した前記液膨式ハイカットサーモによって前記液槽内の液体が所定の閾値温度を超えていることを検知したとき、前記液膨式ハイカットサーモが前記液体の異常昇温を防止するために前記ガスバーナーの栓を閉じる制御信号を出力し、
前記ガスバーナーが一旦閉栓されると、前記ガスバーナーの再点火のための自動復帰は行われないことを特徴とするガス式加熱装置。
【発明の詳細な説明】
【技術分野】
【０００１】
本発明は、液体を加熱するガス式加熱機器に関し、より詳細には、機器が無電源状態になった場合でも、液槽内が空焚きであるか否かを検知し、且つ、異常に加熱することを防止（過昇防止）する２つ以上の安全機能を備えたガス式加熱機器に関するものである。
【背景技術】
【０００２】
ガス式加熱機器の安全装置の目的には、炎が消えたら自動的にガスを止めるガス漏れ防止、ショート等で漏電したら自動的に電気を遮断する漏電防止、不完全燃焼等をした場合に自動的にガスを止めるＣＯ排出防止、機体や被熱物が異常加熱したり、機体が転倒したら自動的にガスを止める過昇防止、残留未燃ガスや異常圧力、過電流、厳冬期凍結等による機器破損防止等がある。過昇防止を実現する装置としては、加熱防止装置、空焚き防止、空焚き安全装置があり、さらに転倒時には自動的にガスを止める安全装置もある。
【０００３】
加熱防止装置で用いられている方式には、熱膨張率の大きく異なる２種の金属板を張り合わせ、温度変化による機械的変形を利用して電気接点をＯＮ／ＯＦＦさせることでガスを遮断するバイメタルスイッチ、溶融温度の低い合金を雰囲気温度の異常上昇で溶融させ、過電流によって生じる機器の発熱を感知し、ガスを遮断する温度ヒューズ等が一般的である。また、空焚き防止装置には、温度上昇につれて抵抗を増加させることで温度を一定に維持し、異常な高温を検知すればガスを遮断するサーミスタが使用されている。下記特許文献１は、調理用のガスバーナーにバイメタルの加熱防止用センサーが取付けられている例を示している。
【０００４】
空焚きに対する安全装置の代表例としては、液槽内に設けられた水量センサー等により、液槽内の水位（水量）を検出し、設定した一定値以上の水位にならないとガス弁を開にせず、設定値を下回ったときには水不足状態としてガス弁を閉じるように制御するフロートスイッチ等がある。
【０００５】
このような安全装置は、通常の使用時のみならず、地震等が発生して電気の供給が中断され、ガス式加熱機器が無電源状態になった場合においても、過昇防止や空焚き回避が確実に行われることが非常に重要である。
【先行技術文献】
【特許文献】
【０００６】
【特許文献１】特開平１０−２８１４５７号公報
【発明の概要】
【発明が解決しようとする課題】
【０００７】
従来、立消え安全装置とバイメタル（又は液膨式）サーモを用いた加熱防止装置による安全対策は、ガス機器が無電源になった場合でも可能であった。すなわち、バーナーにサーモカップル（熱電対）を装着している場合、ガスバーナーの炎が立消えしなければ熱起電力が発生し続けるため、ガス機器への電源供給が中断されても、連結するバイメタルサーモへの電源が確保できるからである。熱膨張率の異なる金属板を張り合わせ、温度変化による機械的変形を利用したバイメタルにより、温度に応じて電気接点をＯＮ/ＯＦＦ状態に切り替えることが可能となる。例えば、昇温になり過ぎる場合にはＯＦＦに設定し、ガス通路を遮断することで、加熱防止を行うことが可能となる。一方、ガスバーナーが立消えすると熱電対における熱起電力が無くなり、ガス供給のための電磁弁には通電されなくなる。その結果、安全バルブが開かずにガス供給はストップされ、熱電対は立消え安全装置としても機能することになる。
【０００８】
このようにガス機器が無電源状態でも、ガスの燃焼がサーモカップルに熱起電力を発生させてバイメタルサーモによる異常な加熱防止を実現できるのであるが、無電源状態になってもガスが供給されていれば炎が燃焼し続けるので、バイメタルサーモが異常な昇温を検知しない限り、ガス点火が継続してしまいかねない。これは、液槽内の水位が不足しているときは空焚きになり、極めて危険な状態となる。さらに、地震時の揺れの影響で液槽内の液面が異常に揺動（スロッシング）したときには、液槽から液体が溢れ出るおそれがあるので、異常昇温になっていなくても直ちに燃焼中の火を消す目的でガス供給を停止させる必要がある。
【０００９】
本発明は、上記の課題に鑑みてなしたものであり、液体加熱機器が無電源状態であっても、空焚き防止及び過昇防止を組み合わせた２つ以上の安全機能を備えたガス式加熱機器を提供しようとするものである。
【課題を解決するための手段】
【００１０】
上記課題を解決するために本発明の安全装置を備えたガス式加熱装置は、前記安全装置が、ガスバーナーの炎の立消えを感知するサーモカップルと、前記サーモカップルと電気的に直列に接合し、液槽内の液体量が所定のレベルを超えているか及び液面が異常振動しているかを検知するフロートスイッチと、前記フロートスイッチと電気的に直列に接合し、前記液槽内の液体が所定の閾値温度を超えた異常昇温状態であるかを検知するバイメタルサーモとを備え、前記加熱装置の燃焼中、電力が供給されない無電源状態になった場合、前記サーモカップルの起電力が前記フロートスイッチ及び前記バイメタルサーモへ供給され、前記フロートスイッチは、液槽内の液体量が所定のレベル以下であるか又は液槽内の液面が異常振動しているかの少なくとも１つがあれば、空焚き防止をするために前記ガスバーナーの栓を閉じる制御信号を出力し、前記ガスバーナーの栓を閉じる制御信号が出力されない状態において、前記バイメタルサーモによって前記液槽内の液体が所定の閾値温度を超えていることを検知したとき、前記バイメタルサーモが前記液体の異常昇温を防止するために前記ガスバーナーの栓を閉じる制御信号を出力し、前記ガスバーナーが一旦閉栓されると、前記ガスバーナーの再点火のための自動復帰は行われないことを特徴とする。
【００１１】
上記課題を解決するために本発明の安全装置を備えたガス式加熱装置は、前記安全装置が、ガスバーナーの炎の立消えを感知するサーモカップルと、前記サーモカップルと電気的に直列に接合し、液槽内の液体量が所定のレベルを超えているか及び液面が異常振動しているかを検知するフロートスイッチと、前記サーモカップル及び前記フロートスイッチとは無電源で可動し、電気的に独立して電磁弁ユニットと直結し、無電源で前記液槽内の液体が所定の閾値温度を超えた異常昇温状態であるかを検知する液膨式ハイカットサーモとを備え、前記加熱装置の燃焼中、電力が供給されない無電源状態になった場合、前記サーモカップルの起電力が前記フロートスイッチへ供給され、前記フロートスイッチは、液槽内の液体量が所定のレベル以下である又は液槽内の液面が異常振動しているかの少なくとも１つがあれば、空焚き防止をするために前記ガスバーナーの栓を閉じる制御信号を出力し、無電源で可動し前記フロートスイッチと電気的に独立した前記液膨式ハイカットサーモによって前記液槽内の液体が所定の閾値温度を超えていることを検知したとき、前記液膨式ハイカットサーモが前記液体の異常昇温を防止するために前記ガスバーナーの栓を閉じる制御信号を出力し、前記ガスバーナーが一旦閉栓されると、前記ガスバーナーの再点火のための自動復帰は行われないことを特徴とする。
【発明の効果】
【００１２】
本発明の請求項１に係るガス式加熱機器の安全装置は、サーモカップルがフロートスイッチと電気的に直列に接合しており、したがって、ガス式加熱機器が無電源になってもサーモカップルの起電流は、フロートスイッチに伝わり、さらに電気的に直列に接合するバイメタルサーモに伝わる。フロートスイッチに使用する接点は微弱電流であっても正常に動作するので、仮に無電源状態になっても、槽内の液体量の不足を確実に検知することができる。このため、槽内の液体量が所定値を超えていない場合は水位不足と判断し、ガス点火しないように制御するので空焚きを防止することができる。
【００１３】
また、所定の水位に達していないにもかかわらず、誤動作等により水位到達を示すＯＮ信号をフロートスイッチから出力されていても、バイメタルサーモによって、槽内の温度が所定の閾値温度を超えて異常に昇温したときは、これ以上の温度上昇がされないようにガス電磁弁を閉じてガス通路を遮断する。通常使用時にはフロートスイッチで一段階目の安全を図り、異常事態が発生したときの緊急使用時にはバイメタルサーモで二段階目としての安全策を講じるという、二段構えのセーフティ機構を無電源状態のときにも実現できる。
【００１４】
本発明の請求項２に係るガス式加熱機器の安全装置は、請求項１のバイメタルサーモに代わり、無電源で動作可能な液膨式ハイカットサーモをフロートスイッチと電気的に独立して構成要素として使用する。
したがって、フロートスイッチと液膨式ハイカットサーモの何れか一方が故障したとしても残りの一方がガス弁を閉じるため、二重の安全装置を構築する。
もちろん、請求項１のバイメタルサーモに加えて、請求項２の液膨式バイメタルサーモを更に構成要素として備え、３重の安全装置とすることも可能である。
【００１５】
また、請求項１及び請求項２に記載のフロートスイッチは、槽内の液面が異常に揺動してしまうスロッシング現象のときにもスイッチＯＦＦ信号を出すため、地震などの不測事態が発生した際、ガス供給事業体がガス供給を停止させなくとも又は停止させる前の時点で、本発明のガス式加熱機器の安全装置自体がガス栓を迅速に閉じてガス供給を遮断できるため、地震時における安全装置として有効である。
【図面の簡単な説明】
【００１６】
【図１】本発明の一実施形態であるガス式加熱機器であり、バイメタルサーモを使用した安全装置を備えた構成図及び回路図を示す。
【図２】本発明の一実施形態であるガス式加熱機器であり、液膨式ハイカットサーモを使用した安全装置を備えた構成図及び回路図を示す。
【図３】バイメタルサーモを使用した安全装置の動作手順を示すフローチャートである。
【図４】液膨式ハイカットサーモを使用した安全装置の動作手順を示すフローチャートである。
【発明を実施するための形態】
【００１７】
以下、本発明の好適な実施の形態について図面を参照しながら詳細に説明する。
図１は、本実施の形態のガス式加熱機器全体をあらわした断面模式図である。安全装置の電気的構成を図中の下部に示す。
【００１８】
図１の６は、液槽である。液槽内には水や油などの液体が蓄えられる（なお、本実施の形態では、特に説明しない限り液体は水であるとして説明するが、例えば油などであってもよい）。槽内の水位を検知するのがフロートスイッチ３である。フロートスイッチ３には、液面の上下に追従する浮遊体（例えば、ボールフロート）内のマグネットと、ガラス管で封入された磁気動作するリードスイッチとが内蔵されている。リードスイッチは検出する液面高さに固定されており、水位に応じたボールフロートの上下移動によってリードスイッチをＯＮ／ＯＦＦさせる。リードスイッチがＯＮ（ボールフロートが上に移動）の場合、規定の水位に到達しているという信号が出力される。一方、ボールフロートが検出する液面高さよりも下に位置していれば規定の水位には未到達であるのでＯＦＦ信号を出力する。
【００１９】
なお、槽内の水位を一定に保つ場合には、浮力で水面に浮かぶボールフロートの位置が水位に応じて移動することを利用し、ボールフロートに連結した水バルブを開閉させる。
【００２０】
液槽６の下方には液槽内の水を加熱するガス燃焼手段（例えば、ガスバーナー）７が配置されている。９はスパークロッド（点火棒）であり、ガスバーナー７の炎口部付近で作動ガスに放電して火花を発生させて着火させる。スパークロッド９に代わり、圧電着火させる方式でもよい。バネの力により叩き金で圧電体に対して衝撃を与え、発生した高い電圧でスパーク火花を生じさせることによりガスを点火させるものである。例えば、ダイヤル式点火ハンドル１３をまわしてガス弁が人の力で強制的に開いた状態となり、同時に圧電素子から火花が飛び出すようにすると、ガスバーナー７へガスが流れて着火する。
１は電磁弁ユニット（ソレノイドバルブ）であり、２はサーモカップル（熱電対）である。ガスバーナー７の炎によってサーモカップル２が温められると、サーモカップル２は点火を検知する。また、加熱されたサーモカップル２は熱起電力を発生し、これを利用して、連結する電磁弁ユニット１内の電磁石に微弱な熱電流を流すと、電磁力が生じる。この電磁力は電磁石の要領でガス弁を開状態にする作用として機能し、ガスが継続して供給される。
【００２１】
ガスバーナー７の炎が消えた場合、サーモカップル２は加熱されないので熱起電力が無くなる。これに伴い、電磁弁ユニット１内の電磁力が消えるため、電磁石の力で開いていたガス弁はガス供給口を閉じる位置に戻り、メインバーナーとパイロットバーナー両方のガス通路を遮断する。
【００２２】
４は、一定以上に温度が上がった場合に、ガスや電気を遮断して、それ以上に温度を上がらなくさせるバイメタルサーモである。バイメタルサーモ４は、熱膨張率の異なる金属板を貼合わせ、温度変化によって曲がり方が変化する性質を利用することで、温度によってスイッチのＯＮ/ＯＦＦを自動的に切替えている。したがって、設定よりも高温になるとスイッチＯＦＦになり、異常な高温になるまで加熱することを回避する過昇防止装置として機能する。液槽６が密閉されていれば内部圧力が高くなるので危険であり、液槽６内の液体が油の場合は熱せられ続けると油が発火するので、バイメタルサーモ４による過昇防止は一層重要である。
【００２３】
上述したとおり、何らかの理由によりガス式加熱機器が無電源状態になっても、ガス供給が直ちに停止するとは限らず、しかも炎が燃えていればサーモカップル２は電磁弁ユニット１のガス弁を閉じる制御信号を出力しないので、ガス燃焼が継続することになる。この場合、液槽６内の水は徐々に蒸発していき、蒸発分に相当する給水がされないと液槽６が空になる。確かに、給水がされず水位が低い状態でガス燃焼が続けば液槽６は高温になるので、バイメタルサーモ４が働いて異常な高温になるまで加熱される事態を防止することが期待できる。つまり、従来のバイメタルサーモ方式の場合、水位が不足していても液槽６に対する点火がされ、所定の閾値温度まで上昇した後にガスが遮断される手順であった（後述する液膨式ハイカットサーモ方式の場合も同様である）。
【００２４】
しかし、バイメタルサーモ４からガス弁を閉じる制御信号が出力されるまでの間は、水位不足での点火が続くことになるので、空焚き状態又は空焚きに近い状態になっている。これが何度も繰り返されると、液槽６のダメージが大きくなって熱変形が生じる。例えば、高効率機器で使用される液槽は、１０秒程度の空焚きをしただけで、熱交換部分の損傷が進行し、変形や応力割れが発生してしまう。したがって、バイメタルサーモ４を設置していても、空焚き状態になることを本来的に避けなければならないのである。言い換えると、液槽を保護する上でも、点火前にガスを遮断させることが必要である。
【００２５】
そこで、本発明に係るガス式加熱装置の安全装置は、サーモカップル２及びバイメタルサーモ４（または液膨式バイメタルサーモ５）、フロートスイッチ３、電磁弁ユニット１を備えており、フロートスイッチ３による空焚き防止、バイメタルサーモ４（液膨式バイメタル５）による過熱防止の２重の安全構造を持つ。電磁弁ユニット１は、フロートスイッチ３からＯＮ信号を受けると、給水が規定の水位にまで到達していると判断してガス栓を開くが（加熱開始）、水位が不足し、フロートスイッチからＯＮ信号が出力されない場合（回路は開状態のまま）、ガス栓は閉じられた状態のままである。例えば、水位不足の場合に、手動で強制的に点火（たとえば圧電式でスパーク）しようとしても、サーモカップルは加熱されることで熱起電力が発生するが、フロートスイッチからＯＮ信号は発信されないため、電磁弁コイルは作動せず、ガス栓は閉じた状態のままとなる。当然、点火スイッチを離した場合には、燃焼は保持できなくなり燃焼不可能となる。
点火後は、フロートスイッチ３に使用している接点は微弱電流で動作するので、サーモカップル２からの熱起電力があれば充分であり、加熱中に地震などにより、無電源状態に陥った場合でも、空焚きを確実に防止することができる。このようにシンプルな構成で安価に２重の安全装置を設けることが可能となる。
なお、ＡＣ電源、あるいは電池等を利用すれば、点火前でも規定の水位以下の場合には、ＯＦＦ信号を制御回路等に入力し、点火出来ない様に制御回路でインターロックを掛け、規定の水位に到達したときにＯＮ信号を出力し、インターロックを解除する等、本構造を基本とした展開も可能である。
【００２６】
なお、フロートスイッチ３は微小電流で作動可能であるが、接点部を金やロジウム、或いはインジウム等の接続材を利用して接点動作を良好にし、錆などによる接点不良を生ずることの少ない不活性ガスが注入してあるものを使用して、劣化をできるだけ防止することが好ましい。また、抵抗値を小さくするため、中継線の径を太くしてもよい。
【００２７】
また、地震時は地面の揺れが液槽６に伝わり、槽内の液面が異常に揺動してしまうスロッシング現象を発生させる。大きなスロッシングは、液槽６から液体を溢れ出させてしまうので、特に液体が油のときは引火することが予想され、極めて危険な事態となるであろう。そこで、本実施形態のフロートスイッチ３は、液面の揺れを検知し、スロッシングが生じていると判断した場合にもＯＦＦ信号を電磁弁ユニット１に出力する。その結果、地震などの不測事態が発生した際、ガス供給事業体によるガス供給の停止が仮に行われない場合でも、本発明のガス式加熱機器の安全装置自体がガス栓を迅速に閉じることで安全対策を図ることができる。
【００２８】
このように、本発明のガス式加熱機器では、無電源状態であってもフロートスイッチ３により液槽６の水位不足やスロッシングを検知して空焚きを防止できるが、フロートスイッチ３が故障して正常に動作していない場合もあり得る。所定の水位に達していないにもかかわらず、ＯＮ信号を出してしまうので点火開始や燃焼継続されてしまうのである。さらに、フロートスイッチの故障ではないが、槽内の液体が油分を含んでいたりすると、油による粘着性からスイッチが何かの拍子でＯＮ接点に固着しまったりすることがある。この場合も、実際には水が無いのに規定量の水が液槽６に貯められているという誤検知がされてしまい、点火状態となって空焚きが発生する。
【００２９】
そこで、第二の安全装置としてのバイメタルサーモ４が機能する。ガス式加熱機器が無電源になっても、電気的に直列に接合するサーモカップル２の起電流によってバイメタルサーモ４が動作できる。したがって、バイメタルサーモ４は、槽内が異常に高温に加熱された異常状態を検知してスイッチＯＦＦに切替え、ガス式加熱機器の過昇を防止できる。フロートスイッチ３とバイメタルサーモ４が直列で接続されているので、少なくとも１つのスイッチがＯＦＦになればガス弁を閉じるように制御している。
したがって、本発明に係るガス式加熱装置の安全装置は、二段構えの安全機構による安全性の向上を無電源状態のときにも実現できるのである。
【００３０】
次に、図２に示す第二の実施形態について説明する。上述した第一の実施形態は、フロートスイッチ３の不具合で液槽６内の水位不足を正しく検知できなかったり、フロートスイッチの故障ではないがＯＮ接点に固着してしまってガス燃焼が継続し、異常に高温になる事態をバイメタルサーモ４を使用することで回避する構成であった。第二の実施形態は、このバイメタルサーモ４に代わり、無電源で可動する液膨式ハイカットサーモ５を使用する。もちろん、バイメタルサーモ４に加えて、液膨式ハイカットサーモを備えて構成し、３重の安全装置とすることも可能である。
なお、第二の実施形態のガス式加熱装置は、点火ボタン１０を押している間、ガス弁が強制的に開状態となり、火花は乾電池１４の電圧により、スパークロッド９から火花が飛んで着火する仕組みになっている。
【００３１】
液膨式ハイカットサーモ５は、感熱部に熱膨張率の高い液体を封入し、感熱管（センサー）内の液体膨張を利用してキャピラリーチューブ（細導管）を通して電気接点の開閉をスナップアクションで行うものである。ガス式加熱機器の安全装置における液膨式ハイカットサーモ５の機能は、第一の実施形態に示すバイメタルと同じであるが、図中の下部の回路図であらわすとおり、無電源で可動する液膨式ハイカットサーモ５の場合は、サーモカップル２及びバイメタルとは電気的に独立した構成である。つまり、フロートスイッチ３を介したガス遮断の系統と、液膨式ハイカットサーモ５を介したガス遮断の系統との２系統が存在している点で相違があり、かつ、液膨式ハイカットサーモは無電源で可動するため、起電力には影響されずに動作する。
【００３２】
液膨式ハイカットサーモ５を独立に構成することで、フロートスイッチ３と連動しない独立したガス遮断経路を確保している。
【００３３】
また、液膨式ハイカットサーモ５にはリセットスイッチユニット１１のリセットボタン１２が接続している。
【００３４】
過昇防止装置であるバイメタルサーモ４若しくは液膨式ハイカットサーモ５が働いてガスが遮断されたとき、復旧させるには手動リセットと自動リセットの２種類が考えられるが、本発明のガス式加熱機器はバイメタルサーモ４、液膨式ハイカットサーモ５のいずれであっても、またはバイメタルサーモ４に液膨式ハイカットサーモを加えた場合であっても、自動リセットによる自動復帰をさせない。第一の実施形態に示すバイメタルを使用する安全装置の場合は、電磁弁ユニット１のコック（器具栓）を手動で戻して始めからやり直し、第二の実施形態に示す液膨式ハイカットサーモ５を使用する安全装置の場合は、リセットスイッチユニット１１内のリセットボタン１２を押した後、コックを手動で戻して再動作させる。このように、手動リセットさせることで様子を確認してから再燃焼を行わせることで、二次災害を回避することができる。
【００３５】
ガス式加熱機器の安全装置の動作手順を図３及び図４のフローチャートに示す。図３は、バイメタルサーモ使用時の手順である。
点火開始し、通常燃焼時において、無電源状態になったと仮定する。フロートスイッチ３による水位チェックを所定の時間間隔で実行される（ステップＳ１０）。あらかじめ設定した水位（例えば、液槽６の１/２）以下であれば断水状態又は給水不足であると判断し、フロートスイッチＯＦＦ信号を出力し、電磁弁ユニット１はガス弁を閉じる（ステップＳ１２、Ｓ１５）。なお、電源が供給された通常の状態の場合、蒸発などで給水が必要と判断されると温圧弁による水補給が行われるが、無電源なので、ステップＳ１０で水位不足であると判断しても、ガスバーナー７の火力調整や液槽６内への給水調整はされない。
【００３６】
次に、フロートスイッチ３は液面が異常に揺動していてないかをチェックする（ステップＳ１１）。スロッシング有りと判断したときは、給水不足と同じように、フロートスイッチＯＦＦ信号を出力し（ステップＳ１２）、電磁弁ユニット１はガス弁を閉じて（ステップＳ１５）、ガスバーナー７を消火する（ステップＳ１６）。スロッシング無しと判断したときは、更に、バイメタルサーモ４により液槽６内の水が設定値以上に高温に熱せられていないかを検知する（ステップＳ１３）。バイメタルサーモ４は、あらかじめ設定した温度を超えているとき、スイッチＯＦＦの信号を出力する（ステップＳ１４）。これを受けて、電磁弁ユニット１はガス弁を閉じてガスバーナー７を消火する（ステップＳ１５、Ｓ１６）。
【００３７】
ステップＳ１３で異常昇温でなければ、ステップＳ１０に戻り、上述した手順を繰り返すことで、フロートスイッチ３とバイメタルサーモ４による連動した二段構えの安全対策を行う。
【００３８】
図４は、液膨式ハイカットサーモ５使用時の手順である。フロートスイッチ３による水位チェック（ステップＳ２０）と、液膨式ハイカットサーモ５による異常昇温チェック（ステップＳ２５）を所定の時間間隔毎に並列して実行する。あらかじめ設定した水位（例えば、液槽６の１/２）以下であれば断水状態又は給水不足であると判断し、フロートスイッチＯＦＦ信号を出力し（ステップＳ２２）、電磁弁ユニット１はガス弁を閉じる（ステップＳ２３）。設定値の水位を満たしている場合、さらにフロートスイッチ３は液面が異常に揺動していてないかをチェックする（ステップＳ２１）。スロッシング有りと判断したときは、ロートスイッチＯＦＦ信号を出力し、電磁弁ユニット１はガス弁を閉じて（ステップＳ２３）、ガスバーナー７を消火する（ステップＳ２４）。なお、ステップＳ２１でスロッシング無しと判断したとき、ステップＳ２０に戻る。
【００３９】
一方、液膨式ハイカットサーモ５が異常昇温を検知した場合、スイッチＯＦＦの信号を出力する（ステップＳ２６）。これを受けて、電磁弁ユニット１はガス弁を閉じて（ステップＳ２７）、ガスバーナー７を消火する（ステップＳ２８）。異常昇温を検知しなければ、ステップＳ２５に戻る。
【００４０】
なお、点火時にも、フロートスイッチ３及びバイメタルサーモ４（若しくは液膨式ハイカットサーモ５）からスイッチＯＮ信号が出力されている場合に限り点火動作が可能であり、ＯＮ信号がない、またはＯＦＦ信号があれば点火不可能に制御されている。
【００４１】
第一の実施形態及び第二の実施形態に示す安全装置は、仮にガス式加熱機器が無電源になったとしても、立消え安全対策、空焚き防止、異常昇温防止を行うことができる。また、水位不足であれば点火前にガスを遮断することが可能である。点火後は、バイメタルサーモにより液槽内が異常高温になるとガス遮断するため、２重以上の安全機構で安全性を向上させることができる。
【符号の説明】
【００４２】
１    電磁弁ユニット
２    サーモカップル（熱電対）
３    フロートスイッチ
４    バイメタルサーモ
５    液膨式ハイカットサーモ
６    液槽
７    ガスバーナー
９    スパークロッド
１０    点火ボタン
１１    リセットスイッチユニット
１２    リセットボタン
１３    ダイヤル式点火ハンドル
１４    乾電池
【図１】
2016142473.tif 000003
【図２】
2016142473.tif 000004
【図３】
2016142473.tif 000005
【図４】
2016142473.tif 000006